(57)【要約】【課題】  網点セットを適切に評価することができる網点評価方法、網点評価装置、および網点評価プログラムを提供する。【解決手段】  網点セットを構成する各色の網点について形状と大きさを設定し、網点の重ね合わせにおける相対的な位置を決め、設定された網点が決定された位置で重ね合わされたときに生じる、上記複数色の純色および各混合色のそれぞれが占める面積率を算出し、算出した面積率と、上記複数色の純色および各混合色のそれぞれにおける分光スペクトルとを用いて、網点の重ね合わせの分光スペクトルを算出し、算出した分光スペクトルに基づいて３刺激値を算出し、算出した３刺激値に基づいて上記網点セットを評価する。【選択図】        図４
2006287465.tif 000002
【特許請求の範囲】
【請求項１】
複数色それぞれの網点の重ね合わせでカラー画像を表現するための網点セットを評価する網点評価方法であって、
前記網点セットを構成する各色の網点について形状と大きさを設定する設定過程と、
網点の重ね合わせにおける相対的な位置を決める位置決定過程と、
前記設定過程で設定された網点が前記位置決定過程で決定された位置で重ね合わされたときに生じる、前記複数色の純色および各混合色のそれぞれが占める面積率を算出する面積率算出過程と、
前記面積率算出過程で算出された面積率と、前記複数色の純色および各混合色のそれぞれにおける分光スペクトルとを用いて、網点の重ね合わせの分光スペクトルを算出するスペクトル算出過程と、
前記スペクトル算出過程で算出された分光スペクトルに基づいて３刺激値を算出する３刺激値算出過程と、
前記３刺激値算出過程で算出された３刺激値に基づいて前記網点セットを評価する評価過程とを有することを特徴とする網点評価方法。
【請求項２】
前記３刺激値算出過程が、前記スペクトル算出過程で算出された分光スペクトルと、網点の重ね合わせを観察する際の光源の発光スペクトルとに基づいて３刺激値を算出するものであることを特徴とする請求項１記載の網点評価方法。
【請求項３】
前記評価過程が、３刺激値から得られるＬａｂ値に基づいて前記網点セットを評価するものであることを特徴とする請求項１記載の網点評価方法。
【請求項４】
前記位置決定過程が、網点の重ね合わせにおける相対的な位置を複数決めるものであり、
前記面積率算出過程と、前記スペクトル算出過程と、前記３刺激値算出過程とが、前記位置決定過程で決められた複数の位置それぞれに対応した複数の面積率、複数の分光スペクトル、複数の３刺激値を算出する過程であり、
前記評価過程が、前記３刺激値算出過程で算出された複数の３刺激値に基づいた、前記位置決定過程で決められた複数の位置それぞれで生じる色の差異によって前記網点セットを評価するものであることを特徴とする請求項１記載の網点評価方法。
【請求項５】
複数色それぞれの網点の重ね合わせでカラー画像を表現するための網点セットを評価する網点評価装置であって、
前記網点セットを構成する各色の網点について形状と大きさを設定する設定部と、
網点の重ね合わせにおける相対的な位置を決める位置決定部と、
前記設定部で設定された網点が前記位置決定部で決定された位置で重ね合わされたときに生じる、前記複数色の純色および各混合色のそれぞれが占める面積率を算出する面積率算出部と、
前記面積率算出部で算出された面積率と、前記複数色の純色および各混合色のそれぞれにおける分光スペクトルとを用いて、網点の重ね合わせの分光スペクトルを算出するスペクトル算出部と、
前記スペクトル算出部で算出された分光スペクトルに基づいて３刺激値を算出する３刺激値算出部と、
前記３刺激値算出部で算出された３刺激値に基づいて前記網点セットを評価する評価部とを備えたことを特徴とする網点評価装置。
【請求項６】
コンピュータに組み込まれて該コンピュータに、複数色それぞれの網点の重ね合わせでカラー画像を表現するための網点セットを評価させる網点評価プログラムであって、
前記コンピュータ上に、
前記網点セットを構成する各色の網点について形状と大きさを設定する設定部と、
網点の重ね合わせにおける相対的な位置を決める位置決定部と、
前記設定部で設定された網点が前記位置決定部で決定された位置で重ね合わされたときに生じる、前記複数色の純色および各混合色のそれぞれが占める面積率を算出する面積率算出部と、
前記面積率算出部で算出された面積率と、前記複数色の純色および各混合色のそれぞれにおける分光スペクトルとを用いて、網点の重ね合わせの分光スペクトルを算出するスペクトル算出部と、
前記スペクトル算出部で算出された分光スペクトルに基づいて３刺激値を算出する３刺激値算出部と、
前記３刺激値算出部で算出された３刺激値に基づいて前記網点セットを評価する評価部とを構築することを特徴とする網点評価プログラム。
【発明の詳細な説明】
【技術分野】
【０００１】
本発明は、複数色それぞれの網点の重ね合わせでカラー画像を表現するための網点セットを評価する網点評価方法、網点評価装置、および網点評価プログラムに関する。
【背景技術】
【０００２】
従来より、印刷機などでカラー画像を出力する際には、例えばＣＭＹＫの４色それぞれの網点からなる網点セットが用いられてカラー画像が表現されている。このような網点セットを構成する網点の構造としては、旧来からいくつかの種類が提案されており、理想的な網点に関する理論も存在するが、近年、印刷の分野にも電子化、デジタル化が進むにつれて、網点構造をデジタルデータによって定義することによって、網点セットを構成する網点を詳細に設計することが可能となってきた。また、印刷技術の向上によって、精度の高い印刷が可能となったため、色の再現性などに優れた網点セットの設計が必要となっている。
【０００３】
このような網点セットの設計などにおいては、その網点セットの性能を適切に評価することが必要である。特に、実際に印刷などでその網点セットが用いられる場合には、設計上の理想的な重ね合わせから網点がずれるいわゆる見当ずれがしばしば生じ、そのように見当ずれが生じた場合における色の変化を適切に評価して、見当ずれに強い網点構造の設計に役立てることが求められている。
【０００４】
このため、従来は、見当ずれが生じた場合における網点構造の空間周波数を解析したり、見当ずれが生じたときの網点構造を印刷対象のデジタル画像を構成する画素値に実際に作用させて得られる網点構造を解析するといった評価手法が提案されている（例えば特許文献１および特許文献２参照）。
【０００５】
これらの特許文献に記載された評価方法によれば、見当ずれに対する網点構造の安定性が評価されるので、このような評価方法を用いて安定した網点構造の網点セットを設計することで見当ずれに強い網点セットが得られると考えられる。
【特許文献１】特開２００３−２９８８６０号公報
【特許文献２】特開２００３−２９６７３２号公報
【発明の開示】
【発明が解決しようとする課題】
【０００６】
しかし、これらの特許文献に記載された技術では、網点セットが再現する色の安定性につながると考えられる網点の構造的特徴を評価に用いるので、評価結果の良し悪しは色の安定性をある程度反映しているとは期待できるものの、評価結果が良い網点セットが色の安定性が高いと保証されるものではない。むしろ、構造が変化しても、網点セットの再現色としては安定していることもよくあると考えられ、そのような再現色における安定性を直接に反映するような適切な評価が望まれている。
【０００７】
本発明は上記事情に鑑み、網点セットを適切に評価することができる網点評価方法、網点評価装置、およびコンピュータでそのような評価を行う網点評価プログラムを提供することを目的とする。
【課題を解決するための手段】
【０００８】
上記目的を達成する本発明の網点評価方法は、
複数色それぞれの網点の重ね合わせでカラー画像を表現するための網点セットを評価する網点評価方法であって、
上記網点セットを構成する各色の網点について形状と大きさを設定する設定過程と、
網点の重ね合わせにおける相対的な位置を決める位置決定過程と、
上記設定過程で設定された網点が前記位置決定過程で決定された位置で重ね合わされたときに生じる、上記複数色の純色および各混合色のそれぞれが占める面積率を算出する面積率算出過程と、
上記面積率算出過程で算出された面積率と、上記複数色の純色および各混合色のそれぞれにおける分光スペクトルとを用いて、網点の重ね合わせの分光スペクトルを算出するスペクトル算出過程と、
上記スペクトル算出過程で算出された分光スペクトルに基づいて３刺激値を算出する３刺激値算出過程と、
上記３刺激値算出過程で算出された３刺激値に基づいて上記網点セットを評価する評価過程とを有することを特徴とする。
【０００９】
ここで、上記位置決定過程は、網点の相対的な位置を直接に決める過程であっても良く、あるいは、所定の基準位置からのずれによって決める過程であっても良い。
【００１０】
本発明の網点評価方法によれば、網点の重ね合わせにおける分光スペクトルを求め、その分光スペクトルから、人間の網膜が光に対して生じる反応を表した３刺激値を求めて、その３刺激値に基づいて網点セットを評価するので、網点セットによる再現色を直接に反映した適切な評価が可能である。
【００１１】
本発明の網点評価方法は、「上記３刺激値算出過程が、上記スペクトル算出過程で算出された分光スペクトルと、網点の重ね合わせを観察する際の光源の発光スペクトルとに基づいて３刺激値を算出するものである」という形態も好適である。
【００１２】
このような好適な形態の網点評価方法によれば、観察光源の差異も考慮した評価を行うことができる。
【００１３】
また、本発明の網点評価方法は、「上記評価過程が、３刺激値から得られるＬａｂ値に基づいて上記網点セットを評価するものである」という形態も好適である。
【００１４】
このような好適な形態の網点評価方法によれば、色に対する人の感覚をよく反映した評価を行うことができる。
【００１５】
また、本発明の網点評価方法は、
「  上記位置決定過程が、網点の重ね合わせにおける相対的な位置を複数決めるものであり、
上記面積率算出過程と、上記スペクトル算出過程と、上記３刺激値算出過程とが、上記位置決定過程で決められた複数の位置それぞれに対応した複数の面積率、複数の分光スペクトル、複数の３刺激値を算出する過程であり、
上記評価過程が、上記３刺激値算出過程で算出された複数の３刺激値に基づいた、上記位置決定過程で決められた複数の位置それぞれで生じる色の差異によって上記網点セットを評価するものである」
という形態も好適である。
【００１６】
このような好適な形態の網点評価方法によれば、いわゆる見当ずれで生じる色ずれを直接に反映した評価を行うことができる。
【００１７】
上記目的を達成する本発明の網点評価装置は、
複数色それぞれの網点の重ね合わせでカラー画像を表現するための網点セットを評価する網点評価装置であって、
上記網点セットを構成する各色の網点について形状と大きさを設定する設定部と、
網点の重ね合わせにおける相対的な位置を決める位置決定部と、
上記設定部で設定された網点が前記位置決定部で決定された位置で重ね合わされたときに生じる、上記複数色の純色および各混合色のそれぞれが占める面積率を算出する面積率算出部と、
上記面積率算出部で算出された面積率と、上記複数色の純色および各混合色のそれぞれにおける分光スペクトルとを用いて、網点の重ね合わせの分光スペクトルを算出するスペクトル算出部と、
上記スペクトル算出部で算出された分光スペクトルに基づいて３刺激値を算出する３刺激値算出部と、
上記３刺激値算出部で算出された３刺激値に基づいて上記網点セットを評価する評価部とを備えたことを特徴とする。
【００１８】
本発明の網点評価装置によれば、本発明の評価方法によって網点セットを適切に評価することができる。
【００１９】
上記目的を達成する本発明の網点評価プログラムは、
コンピュータに組み込まれてそのコンピュータに、複数色それぞれの網点の重ね合わせでカラー画像を表現するための網点セットを評価させる網点評価プログラムであって、
上記コンピュータ上に、
上記網点セットを構成する各色の網点について形状と大きさを設定する設定部と、
網点の重ね合わせにおける相対的な位置を決める位置決定部と、
上記設定部で設定された網点が前記位置決定部で決定された位置で重ね合わされたときに生じる、上記複数色の純色および各混合色のそれぞれが占める面積率を算出する面積率算出部と、
上記面積率算出部で算出された面積率と、上記複数色の純色および各混合色のそれぞれにおける分光スペクトルとを用いて、網点の重ね合わせの分光スペクトルを算出するスペクトル算出部と、
上記スペクトル算出部で算出された分光スペクトルに基づいて３刺激値を算出する３刺激値算出部と、
上記３刺激値算出部で算出された３刺激値に基づいて上記網点セットを評価する評価部とを構築することを特徴とする。
【００２０】
本発明の網点評価プログラムによれば、本発明の網点評価装置を構成する要素がコンピュータによって容易に実現される。
【００２１】
なお、本発明にいう網点評価装置および網点評価プログラムについては、ここではその基本形態のみを示すのにとどめるが、これは単に重複を避けるためであり、本発明にいう網点評価装置および網点評価プログラムには、上記の基本形態のみではなく、前述した網点評価方法の各形態に対応する各種の形態が含まれる。
【００２２】
また、本発明の網点評価プログラムがコンピュータ上に構成する設定部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されてもよく、あるいは、コンピュータに組み込まれている他のプログラムやプログラム部品に指示を与えて実行するものとして構築されても良い。
【発明の効果】
【００２３】
以上説明したように、本発明の網点評価方法、網点評価装置、および網点評価プログラムによれば網点セットを適切に評価することができる。
【発明を実施するための最良の形態】
【００２４】
以下図面を参照して本発明の実施の形態を説明する。
【００２５】
図１は、本発明の一実施形態が適用されるパーソナルコンピュータを示す図である。
【００２６】
この図１に示すように、パーソナルコンピュータ１００は、ＣＰＵ、主記憶装置、ハードディスク、通信用ボード等が内蔵された本体１１０、この本体１１０からの指示により表示画面１２１上に画面や文字列の表示を行うディスプレイ１２０、このパーソナルコンピュータ１００にユーザの指示や文字情報を入力するためのキーボード１３０、上記表示画面１２１上の任意の位置を指定することにより、その指定時にその位置に表示されていたアイコン等に応じた指示を入力するマウス１４０を備えている。
【００２７】
本体１１０には、ＣＤ−ＲＯＭやＣＤ−Ｒが取り出し自在に装填されるＣＤ装填口１１１があり、そのＣＤ装填口１１１に装填されたＣＤ−ＲＯＭやＣＤ−Ｒに記憶された情報を再生するＣＤ−ＲＯＭドライブが内蔵されている。また、本体１１０には、フレキシブルディスク（ＦＤ）が取り出し自在に装填されるＦＤ装填口１１２もあり、そのＦＤ装填口１１２に装填されたフレキシブルディスク（ＦＤ）に対し情報の記録再生を行うＦＤドライブも内蔵されている。
【００２８】
ここでは、ＣＤ−ＲＯＭに本発明の網点評価プログラムの一実施形態が記憶されて本体１１０内に装填され、そのＣＤ−ＲＯＭに記憶された網点評価プログラムがＣＤ−ＲＯＭドライブによって読み込まれ、本体１１０内のハードディスクにインストールされる。
【００２９】
このハードディスクにインストールされた網点評価プログラムが起動されて実行されると、パーソナルコンピュータ１００は、本発明の網点評価装置の一実施形態として動作する。つまり、ここでは、パーソナルコンピュータ１００と、本発明の網点評価プログラムの一実施形態とが結合することにより、本発明の網点評価装置の一実施形態を構成している。また、ここでは、網点評価装置の一実施形態として動作によって、本発明の網点評価方法の位置実施形態が実行される。
【００３０】
図２は、本発明の網点評価プログラムの一実施形態を示す図である。ここでは、この網点評価プログラム３００は、ＣＤ−ＲＯＭ２００に記憶されている。
【００３１】
本発明の網点評価プログラムを記憶する記憶媒体はＣＤ−ＲＯＭに限られるものではなく、それ以外の光ディスク、ＭＯ、フロッピー（登録商標）ディスク、磁気テープなどの記憶媒体であってもよい。また、本発明の網点評価プログラムは、記憶媒体を介さずに、通信網を介して直接にパーソナルコンピュータに供給されるものであってもよい。
【００３２】
この網点評価プログラム３００は、図１に示すパーソナルコンピュータ１００内で実行され、そのパーソナルコンピュータ１００を網点評価装置として動作させるものであり、設定部３１０と位置決定部３２０と面積率算出部３３０とスペクトル算出部３４０とＬａｂ値算出部３５０と評価部３６０とを有する。
【００３３】
この網点評価プログラム３００の各要素の詳細については後述する。
【００３４】
図３は、本発明の網点評価装置の一実施形態の機能ブロック図である。
【００３５】
この網点評価装置４００は、図２の網点評価プログラム３００が、図１に示すパーソナルコンピュータ１００にインストールされて実行されることにより構成されるものである。
【００３６】
この網点評価装置４００は設定部４１０と位置決定部４２０と面積率算出部４３０とスペクトル算出部４４０とＬａｂ値算出部４５０と評価部４６０とから構成されており、これら設定部４１０、位置決定部４２０、面積率算出部４３０、スペクトル算出部４４０、Ｌａｂ値算出部４５０、および評価部４６０は、図２に示す網点評価プログラム３００を構成する、設定部３１０、位置決定部３２０、面積率算出部３３０、スペクトル算出部３４０、Ｌａｂ値算出部３５０、および評価部３６０それぞれによってパーソナルコンピュータ１００上に構成されている。このように、図３に示す網点評価装置４００の各要素は、図２に示す網点評価プログラム３００の各要素にそれぞれ対応するが、図３の各要素は、図１に示すパーソナルコンピュータ１００のハードウェアとそのパーソナルコンピュータで実行されるＯＳやアプリケーションプログラムとの組合せで構成されているのに対し、図２に示す各要素はそれらのうちのアプリケーションプログラムのみにより構成されている点が異なる。
【００３７】
これら設定部４１０、位置決定部４２０、面積率算出部４３０、スペクトル算出部４４０、Ｌａｂ値算出部４５０、および評価部４６０は、それぞれ、本発明の網点評価装置における、設定部、位置決定部、面積率算出部、スペクトル算出部、３刺激値算出部、および評価部の各一例に相当する。
【００３８】
この網点評価装置４００の各要素の詳細についても後述する。
【００３９】
図４は、本発明の網点評価方法の一実施形態のフローチャートである。
【００４０】
この網点評価方法は、図３の網点評価装置４００が動作することで実行されるものであり、設定過程（ステップＳ１０１〜ステップＳ１０３）と位置決定過程（ステップＳ１０４〜ステップＳ１０５）と面積率算出過程（ステップＳ１０６〜ステップＳ１０９）とスペクトル算出過程（ステップＳ１１０〜ステップＳ１１１）とＬａｂ値算出過程（ステップＳ１１２〜ステップＳ１１３）と評価過程（ステップＳ１１４〜ステップＳ１１６）とを有している。これらの各過程は、図３に示す網点評価装置４００の各要素で実行されるものであり、図２に示す網点評価プログラム３００の各要素によって各過程の処理内容が規定されている。また、これら設定過程、位置決定過程、面積率算出過程、スペクトル算出過程、Ｌａｂ値算出過程、および評価過程は、本発明の網点評価方法における設定過程、位置決定過程、面積率算出過程、スペクトル算出過程、３刺激値算出過程、および評価過程の各一例に相当する。
【００４１】
以下、図４に示す各ステップの詳細を説明することによって、図３に示す網点評価装置４００の各要素と、図２に示す網点評価プログラム３００の各要素も合わせて説明する。
【００４２】
図４に示す網点評価方法が開始されると、まず、ハーフトーンスクリーンが設定される（ステップＳ１０１）。このハーフトーンスクリーンは、網点の構造や網点面積率の変化に伴う網点形状の変化を定義したものであり、網点の設計とは、即ちこれらのハーフトーンスクリーンを設計することである。ハーフトーンスクリーンは、画素値と比較される閾値の配列によって構成されており、画素値が閾値以上となっている部分は網点の一部として描画され、画素値が閾値に満たない部分は白抜け部分となる。つまり、ハーフトーンスクリーンは、連続階調の画素値で表された画像を描画と白抜けからなる２値画像に変換する役割を有している。このようなハーフトーンスクリーンは、カラー画像を出力するときに用いられるインクの各色に対して用意されるもので、本実施形態では、Ｃ（シアン）、Ｍ（マゼンタ）、Ｙ（イエロー）の３色それぞれについて設定される。このように設定される各色のハーフトーンスクリーンのセットが本発明にいう網点セットの一例に相当する。
【００４３】
次に、ＣＭＹ３色のそれぞれについて網点面積率（網％）が設定される（ステップＳ１０２）。この網点面積率（網％）は、ハーフトーンスクリーンを構成する閾値配列のうち何％が描画位置となるかを表したものであり、網点面積率が例えば４０％であれば、閾値配列のうちの、閾値が小さい方の４０％の部分が描画部分となり、残りの６０％の部分は白抜け部分となる。このような描画部分と白抜け部分が、ＣＭＹ３色のそれぞれについて求められて、ＣＭＹ３色の網点の形と大きさが確定する（ステップＳ１０３）。
【００４４】
図５は、図４のステップＳ１０３で得られるＣＭＹ３色の網点を模式的に示す図である。
【００４５】
この図５でハッチングされている部分が描画部分であり、網点を構成している。またハッチングがない部分が白抜き部分である。網点や白抜き部分を構成している小さな四角形の１つ１つがハーフトーンスクリーンを構成する閾値の１つ１つに対応しており、さらに、これら１つ１つが画像を構成する画素に対応する。
【００４６】
各色についてハーフトーンスクリーンと網％が設定されることにより、この図５に示すように、互いに形や大きさや網点の並び方が異なるＣＭＹ３色それぞれの網点が得られる。
【００４７】
このようなＣＭＹ３色それぞれの網点が図４のステップＳ１０１〜ステップＳ１０３で得られる一方で、この網点評価方法では、見当ずれによって網点が相互にシフトする最大量（最大シフト量）が設定され（ステップＳ１０４）、その最大シフト量以内のシフト量が自動設定される（ステップＳ１０５）。本実施形態では、Ｙ色の網点（Ｙ版）に対するＣ色およびＭ色の各網点（Ｃ版、Ｍ版）のシフト量が設定され、説明の便宜上、Ｃ版およびＭ版のシフト方向はいずれも図５の上下方向であり、図の下方向がプラスであるものとする。また、本実施形態では、シフト量の単位として、図５に示す網点や白抜き部分を構成している小さな四角形（即ち画素）を採用するものとする。なお本発明では、網点評価の解像度を高めたい場合などには画素単位よりも細かい単位でシフト量を設定することも可能である。
【００４８】
このように、網点の形と大きさが得られ、網点相互のシフト量も得られると、次に、ＣＭＹ３色それぞれの網点が重なり合った網点構造を表す画像が作成される（ステップＳ１０６，ステップＳ１０７）。このような網点構造を表す画像は、設定されたシフト量を有する場合（ステップＳ１０６）とシフト量「０」の場合（ステップＳ１０７）とのそれぞれについて作成され、その作成された画像中における白色、ＣＭＹの１次色（純色）、２次色（Ｒ；レッド、Ｇｎ；グリーン、Ｂ；ブルー）、３次色（Ｇｙ；グレイ）それぞれの統計分布から各色の面積率が算出される（ステップＳ１０８，ステップＳ１０９）。
【００４９】
図６は、シフト量が「０」のときに得られる網点構造の例を示す図であり、図７は、シフトが生じているときに得られる網点構造の例を示す図である。
【００５０】
これらの図６，図７に示す網点構造は、図５に示すＣＭＹ３色の網点が重なり合ってできるものであり、図７では、Ｙ版を基準として、Ｃ版が図の下方向に１シフトし、Ｍ版も図の下方向に２シフトしたときの状態が示されている。
【００５１】
図６および図７それぞれのパート（Ａ）に示されているように、ＣＭＹ３色の網点が重なり合うことによって、ＣＭＹ３色それぞれの１次色以外に、ＲＧｎＢの２次色、およびＧｙの３次色も画像上に生じている。これらの各色が画像上に存在している割合が統計的に算出され、その結果が図６および図７それぞれのパート（Ｂ）に示されている。見当ずれなどによって網点が相互にシフトすることによって、例えば「画素なし」の欄に示された白色の割合は、４４％から４９％へと変化し、マゼンタの純色の割合は１４％から７％へと変化する。
【００５２】
図４のステップＳ１０８およびステップＳ１０９でこのような面積率が算出されると、次に、このような網点構造全体における分光スペクトルが、各色の分光スペクトルから合成されて算出される（ステップＳ１１０，ステップＳ１１１）。
【００５３】
図８は、各色の分光スペクトルの例を示す図であり、図の横軸は波長を表し、縦軸は反射率を表している。
【００５４】
図８には、白色、ＣＭＹの１次色、２次色、および３次色それぞれにおける反射率の分光スペクトルが示されている。このような分光スペクトルは、実際に用紙上などに出力されたベタの各色を測定することによって得ることができる。これら各色の分光スペクトルが、上述した面積率を重みとして足し合わされることで、網点構造全体における分光スペクトルが合成される。
【００５５】
図９は、合成された分光スペクトルの例を示す図であり、ここでも図の横軸は波長を表し、縦軸は反射率を表している。
【００５６】
この図９には２つの分光スペクトルが示されており、破線で示された分光スペクトルは、図６に示す、シフト量が「０」である時の分光スペクトルであり、実線で示された分光スペクトルは、図７に示すシフトが生じた場合の分光スペクトルである。これらの分光スペクトルを比較すると、シフト前後で反射率の波長依存性が少し変化していることが分かる。
【００５７】
図４のステップＳ１１０およびステップＳ１１１でこのような分光スペクトルが合成されて算出されると、次に、その分光スペクトルに基づいて、図６および図７に示すような網点構造で生じる色を測色的に表すＬａｂ値が算出される（ステップＳ１１２，ステップＳ１１３）。このＬａｂ値の算出に際しては、まず、網点を観察する光源のスペクトルが用いられて、上述したような網点構造によって反射される色のスペクトルが求められる。
【００５８】
図１０は、光源のスペクトルの一例を示す図である。
【００５９】
この図１０に示すように、典型的な光源には、広い波長域に亘る丘状の部分と、いくつかの鋭いピークが存在している。このような光源のスペクトルと、図９に示す反射率のスペクトルとが掛け合わされて、網点構造によって反射される光のスペクトルが求められる。
【００６０】
次に、その反射光のスペクトルに対し、３刺激値の等色関数が掛け合わされて積分されることにより、３刺激値（ＸＹＺ値）が算出される。
【００６１】
図１１は、３刺激値の等色関数を表す図である。
【００６２】
この図１１には、３刺激値（ＸＹＺ値）の各等色関数が示されており、このような等色関数が反射光のスペクトルと掛け合わされて全波長領域について積分されると、ＸＹＺ値が得られる。
【００６３】
最後に、このように求められたＸＹＺ値が、国際的に定まった所定の換算式によってＬａｂ値に換算される。例えば、図９に示す分光スペクトルと図１０に示す光源のスペクトルとに基づいて最終的に得られるＬａｂ値は、シフトなしのときが
（Ｌ，ａ，ｂ）＝（８０．０６８０５８，１．８６７７９１８，１４．６６７５４７）
であり、シフトが生じた場合が
（Ｌ，ａ，ｂ）＝（８２．７４０７５３，−１．０７１９５１４，１４．２７４７５５）
である。
【００６４】
図４のステップＳ１１２およびステップＳ１１３でこのようにＬａｂ値が算出されると、次に、このＬａｂ値から、シフト無しの状態とシフト有りの状態との色差ΔＥが、
ΔＥ＝（ΔＬ2＋Δａ2＋Δｂ2）1/2
但し、ΔＬ；Ｌ値の差分、Δａ；ａ値の差分、Δｂ；ｂ値の差分
という式で算出される。
【００６５】
例えば、上記に例示したＬａｂ値からは、色差ΔＥ＝３．９９２４５２４と算出される。
【００６６】
上述した各処理手順のうち、ステップＳ１０５、ステップＳ１０６、ステップＳ１０８、ステップＳ１１０、ステップＳ１１２、およびステップＳ１１４は、ステップＳ１０５でシフト量が少しずつ変えて自動設定されながら繰り返し実行され、その結果、シフト量と色差との対応関係を表すマップが作成される（ステップＳ１１５）。以下、このマップの一例を示すが、その前に、マップの元となる網点セットを示す。
【００６７】
図１２は、マップの元となる網点セットを示す図であり、図１３は、その網点セットにおける網点の重なり合いを示す図である。
【００６８】
図１２にはＣＭＹ３色それぞれの網点が示されており、これらの網点が、図５に模式的に示した網点に替えて用いられて、後述する色差のマップが求められる。
【００６９】
図１３のパート（Ａ）には、シフト量が「０」のときの網点構造が示されており、パート（Ｂ）には、後述するマップ中で色差が最大となるシフト量のときの網点構造が示されている。このパート（Ｂ）に示す状態でのシフト量は、Ｃ版が図の上方に１シフト、Ｍ版が図の下方に４シフトとなっている。
【００７０】
図１４は、網点セットに対する色差のマップの一例を示す図である。
【００７１】
ここに示すマップの横軸はＹ版に対するＣ版のシフト量を表し、縦軸はＹ版に対するＭ版のシフト量を表している。この図では、マップの中央に対して下側から右側に色差の大きい領域が存在していることが分かる。
【００７２】
図４のステップＳ１１５でこのようなマップが得られると、最後に、マップ中での最大色差が算出される（ステップＳ１１６）。図１４に示す例では、図１３のパート（Ｂ）で説明したように、Ｃ版のシフトが＋１でＭ版のシフトが−４のときに最大色差が生じている。
【００７３】
上述したステップＳ１１４で算出される個々の色差も、ステップＳ１１５で作成される色差のマップも、ステップＳ１１６で算出される最大色差も、いずれも網点セットにおける色ずれの程度を指標するものとなっており、網点セットを評価する評価値となっている。また、このような評価値は、網点セットで得られる色を直接に評価したものであるので、実際に網点セットが印刷などに用いられた場合の色の安定性が適切に評価されたものとなっている。さらに、本実施形態では、Ｌａｂ値に基づいた色差によって網点セットが評価されているので、見当ずれなどに伴う色ずれの印象が適切に評価される。
【００７４】
なお、以上の説明では、便宜上、網点相互のずれの方向を１次元的に限定して説明したが、本発明にいう位置決定過程および位置決定部では、１次元的なずれが決定されても良い。
【００７５】
また、上記の説明では、本発明にいう評価過程および評価部の一例として、３刺激値から換算されたＬａｂ値に基づいて評価するものが示されているが、本発明にいう評価過程および評価部は、３刺激値をそのまま用いて評価するものであっても良い。このような評価では、人の印象よりも、むしろ、網点で得られるカラー画像の色変化そのものを重視した評価となる。
【００７６】
また、上記の説明では、本発明にいう３刺激値算出過程および３刺激値算出部の一例として、光源のスペクトルを考慮して３刺激値を算出するものが示されているが、本発明では、例えば簡便な評価を行う場合や観察光源が不明である場合などに、光源のスペクトルが無視されて、網点構造によるスペクトルのみから３刺激値が算出されても良い。
【図面の簡単な説明】
【００７７】
【図１】本発明の一実施形態が適用されるパーソナルコンピュータを示す図である。
【図２】本発明の網点評価プログラムの一実施形態を示す図である。
【図３】本発明の網点評価装置の一実施形態の機能ブロック図である。
【図４】本発明の網点評価方法の一実施形態のフローチャートである。
【図５】図４のステップＳ１０３で得られるＣＭＹ３色の網点を模式的に示す図である。
【図６】シフト量が「０」のときに得られる網点構造の例を示す図である。
【図７】シフトが生じているときに得られる網点構造の例を示す図である。
【図８】各色の分光スペクトルの例を示す図である。
【図９】合成された分光スペクトルの例を示す図である。
【図１０】光源のスペクトルの一例を示す図である。
【図１１】３刺激値の等色関数を表す図である。
【図１２】マップの元となる網点セットを示す図である。
【図１３】マップの元となる網点セットにおける網点の重なり合いを示す図である。
【図１４】網点セットに対する色差のマップの一例を示す図である。
【符号の説明】
【００７８】
１００    パーソナルコンピュータ
１１０    本体部
１１１    ＣＤ装填口
１１２    ＦＤ装填口
１２１    表示画面
１２０    ディスプレイ
１３０    キーボード
１４０    マウス
２００    ＣＤ−ＲＯＭ
３００    網点評価プログラム
３１０    設定部
３２０    位置決定部
３３０    面積率算出部
３４０    スペクトル算出部
３５０    Ｌａｂ値算出部
３６０    評価部
４００    網点評価装置
４１０    設定部
４２０    位置決定部
４３０    面積率算出部
４４０    スペクトル算出部
４５０    Ｌａｂ値算出部
４６０    評価部
【図１】
2006287465.tif 000003
【図２】
2006287465.tif 000004
【図３】
2006287465.tif 000005
【図４】
2006287465.tif 000006
【図５】
2006287465.tif 000007
【図６】
2006287465.tif 000008
【図７】
2006287465.tif 000009
【図８】
2006287465.tif 000010
【図９】
2006287465.tif 000011
【図１０】
2006287465.tif 000012
【図１１】
2006287465.tif 000013
【図１２】
2006287465.tif 000014
【図１３】
2006287465.tif 000015
【図１４】
2006287465.tif 000016